(57)【要約】【課題】光源保持部材、光学部品保持部材、光センサ保持部材を、固定部に固定する際の位置ズレを抑制する。【解決手段】固定ネジ１３０を光学箱５０の枠壁５６の貫通孔１２０に、枠壁５６の内壁面５６Ａにネジ頭１３２が当接するように挿入し、レーザダイオードホルダー１００のネジ孔１０４に螺合させることで、枠壁５６の外壁面５６Ｂにレーザダイオードホルダー１００を固定する。このように固定するとネジ頭１３２は、枠壁５６の内壁面５６Ａに当接し、レーザダイオードホルダー１００には当接しない。したがって、ネジ頭１３２を工具で回して固定ネジ１３０を締め込んでも、ネジ頭１３２の回転の摩擦によるレーザダイオードホルダー１００の連れ回りが抑制される。よって、調整したレーザダイオード１０２の光軸の位置ズレが抑制される。【選択図】図１
2008009285.tif 000002
【特許請求の範囲】
【請求項１】
光ビームを射出する光源を保持する光源保持部材と、
前記光源保持部材に設けられたネジ孔と、
一方の面に前記光源保持部材が固定される固定部と、
前記固定部に設けられた貫通孔と、
前記固定部の前記一方の面と反対側の他方の面にネジ頭が当接するように該固定部の前記貫通孔に挿入され、前記光源保持部材のネジ孔に螺合するネジと、
を備えることを特徴とする光走査装置。
【請求項２】
光学部品を保持する光学部品保持部材と、
前記光学部品保持部材に設けられたネジ孔と、
一方の面に前記光学部品保持部材が固定される固定部と、
前記固定部に設けられた貫通孔と、
前記固定部の前記一方の面と反対側の他方の面にネジ頭が当接するように該固定部の前記貫通孔に挿入され、前記光学部品保持部材のネジ孔に螺合するネジと、
を備えることを特徴とする光走査装置。
【請求項３】
光ビームを受光する光センサを保持する光センサ保持部材と、
前記光センサ保持部材に設けられたネジ孔と、
一方の面に前記光センサ保持部材が固定される固定部と、
前記固定部に設けられた貫通孔と、
前記固定部の前記一方の面と反対側の他方の面にネジ頭が当接するように該固定部の前記貫通孔に挿入され、前記光センサ保持部材のネジ孔に螺合するネジと、
を備えることを特徴とする光走査装置。
【請求項４】
光ビームを射出する光源を保持する光源保持部材と、
前記光源保持部材に設けられたネジ孔と、
一方の面に前記光源保持部材が固定される固定部と、
前記固定部に設けられた貫通孔と、
前記固定部の前記一方の面と反対側の他方の面にネジ頭が当接するように該固定部の前記貫通孔に挿入され、前記光源保持部材のネジ孔に螺合するネジと、
を有し、
前記光源保持部材を前記固定部の前記一方の面に仮固定する第一工程と、
前記光源保持部材の位置調整を行ない、前記光源から射出される前記光ビームの光軸を調整する第二工程と、
前記ネジで前記固定部の前記一方の面に前記光源保持部材を固定する第三工程と、
を備えることを特徴とする光走査装置の組立方法。
【請求項５】
光学部品を保持する光学部品保持部材と、
前記光学部品保持部材に設けられたネジ孔と、
一方の面に固定される前記光学部品保持部材が固定部と、
前記固定部に設けられた貫通孔と、
前記固定部の前記一方の面と反対側の他方の面にネジ頭が当接するように該固定部の前記貫通孔に挿入され、前記光学部品保持部材のネジ孔に螺合するネジと、
を有し、
前記光学部品保持部材を、前記固定部の前記一方の面に仮固定する第一工程と、
前記光学部品保持部材の位置調整を行なう第二工程と、
前記ネジで前記固定部の前記一方の面に前記光学部品保持部材を固定する第三工程と、
を備えることを特徴とする光走査装置の組立方法。
【請求項６】
光ビームを受光する光センサを保持する光センサ保持部材と、
前記光センサ保持部材に設けられたネジ孔と、
一方の面に前記光センサ保持部材が固定される固定部と、
前記固定部に設けられた貫通孔と、
前記固定部の前記一方の面と反対側の他方の面にネジ頭が当接するように該固定部の前記貫通孔に挿入され、前記光センサ保持部材のネジ孔に螺合するネジと、
を有し、
前記光センサ保持部材を、前記固定部の前記一方の面に仮固定する第一工程と、
前記光センサ保持部材の位置調整を行ない、前記光センサの光ビームの受光位置調整を行なう第二工程と、
前記ネジで前記固定部の前記一方の面に前記光センサ保持部材を固定する第三工程と、
を備えることを特徴とする光走査装置の組立方法。
【発明の詳細な説明】
【技術分野】
【０００１】
本発明は、光走査装置、及び光走査装置の組立方法に関する。
【背景技術】
【０００２】
レーザを射出するレーザダイオードはレーザダイオードホルダーに保持され、このレーザダイオードホルダーを調整治具で位置を調整することによって、レーザダイオードから射出されるレーザの光軸位置を調整する。光軸調整の完了後、レーザダイオードホルダーをネジで光学箱に固定する。
【０００３】
同様に、レンズやミラーなどの光学部品や光センサを保持する保持部材も、位置調整されたのち、ネジで光学箱に固定する。
【０００４】
さて、図９に示すように、レーザダイオード７０２を保持するレーザダイオードホルダー７００は、光学箱７５０の外壁面７５０Ｂに固定される。
【０００５】
レーザダイオードホルダー７００の光学箱７５０の外壁面７５０Ｂへの固定は、レーザダイオードホルダー７００の位置を調整し、レーザダイオード７０２の光ビームＬの光軸調整をしたのち、図９（Ｂ）に示すように、固定ネジ７３０をレーザダイオードホルダー７００の貫通孔７２０に通し、光学箱７５０のネジ孔７５２に螺合させて締め込んでいく。このように締め込んでいくと固定ネジ７３０のネジ頭７３２がレーザダイオードホルダー７００に当たる。レーザダイオードホルダー７００を固定するため、更にネジ頭７３２を回して締め込むと、図９（Ａ）に示すように、固定ネジ７３０のネジ頭７３２の回転（矢印Ｋ１）による摩擦力によりレーザダイオードホルダー７００が僅かであるが連れ回りする（矢印Ｋ２）。この僅かなレーザダイオードホルダー７００の連れ回り（位置ズレ）によって、調整したレーザダイオード７０２の光軸がズレてしまう。
【０００６】
また、レーザダイオードホルダーを、レンズベースとレーザダイオードホルダー固定板との間にサンドイッチすると共に、レンズベースに設けられた高精度のピンとレーザダイオードホルダーの高精度の穴とを利用して、ネジ回転トルクによる連れ回りを防止する構成が提案されている（例えば、特許文献１を参照）。
【０００７】
しかし、このような構成は、構造が複雑であると共に、ネジを締め付けるときに複数のネジを均等に締め付けていかないとピンが曲がり正確な位置決めができない。
【０００８】
よって、特許文献１以外の構成で連れ回りを抑制することが求められている。
【特許文献１】特開２００４−２４１４３８号公報
【発明の開示】
【発明が解決しようとする課題】
【０００９】
本発明は、上記問題を解決すべく成されたもので、光源保持部材、光学部品保持部材、光センサ保持部材を、固定部に固定する際の位置ズレを抑制することを目的とする。
【課題を解決するための手段】
【００１０】
上記目的を達成するために請求項１に記載の光走査装置は、光ビームを射出する光源を保持する光源保持部材と、前記光源保持部材に設けられたネジ孔と、一方の面に前記光源保持部材が固定される固定部と、前記固定部に設けられた貫通孔と、前記固定部の前記貫通孔に挿入され、前記一方の面と反対側の他方の面にネジ頭が当接し、前記光源保持部材のネジ孔に螺合するネジと、を備えることを特徴としている。
【００１１】
請求項１に記載の光走査装置では、ネジを固定部の貫通孔に他方の面にネジ頭が当接するように挿入し、光源保持部材のネジ孔に螺合させることで、固定部の一方の面に光源保持部材を固定する。
【００１２】
このように固定すると、ネジ頭は固定部の他方の面に当接し、光源保持部材には当接しない。したがって、ネジ頭を工具等で回してネジを締め込んでも、ネジ頭の回転の摩擦による光源保持部材の連れ回りが抑制される。よって、光源保持部材が保持している光源の光軸の位置ズレが抑制される。
【００１３】
請求項２に記載の光走査装置は、光学部品を保持する光学部品保持部材と、前記光学部品保持部材に設けられたネジ孔と、一方の面に前記光学部品保持部材が固定される固定部と、前記固定部に設けられた貫通孔と、前記固定部の前記貫通孔に挿入され、前記一方の面と反対側の他方の面にネジ頭が当接し、前記光学部品保持部材のネジ孔に螺合するネジと、を備えることを特徴としている。
【００１４】
請求項２に記載の光走査装置では、ネジを固定部の貫通孔に他方の面にネジ頭が当接するように挿入し、光学部品保持部材のネジ孔に螺合させることで、固定部の一方の面に光学部品保持部材を固定する。
【００１５】
このように固定すると、ネジ頭は固定部の他方の面に当接し、光学部品保持部材には当接しない。したがって、ネジ頭を工具等で回してネジを締め込んでも、ネジ頭の回転の摩擦による光学部品保持部材の連れ回りが抑制される。よって、光学部品保持部材が保持している光学部品の位置ズレが抑制される。
【００１６】
請求項３に記載の光走査装置は、光ビームを受光する光センサを保持する光センサ保持部材と、前記光センサ保持部材に設けられたネジ孔と、一方の面に前記光センサ保持部材が固定される固定部と、前記固定部に設けられた貫通孔と、前記固定部の前記貫通孔に挿入され、前記一方の面と反対側の他方の面にネジ頭が当接し、前記光センサ保持部材のネジ孔に螺合するネジと、を備えることを特徴としている。
【００１７】
請求項３に記載の光走査装置では、ネジを固定部の貫通孔に他方の面にネジ頭が当接するように挿入し、光センサ保持部材のネジ孔に螺合させることで、固定部の一方の面に光センサ保持部材を固定する。
【００１８】
このように固定すると、ネジ頭は固定部の他方の面に当接し、光センサ保持部材には当接しない。したがって、ネジ頭を工具等で回してネジを締め込んでも、ネジ頭の回転の摩擦による光センサ保持部材の連れ回りが抑制される。よって、光センサが保持している光センサの位置ズレが抑制されるので、光センサは正確に光ビームを受光する。
【００１９】
請求項４に記載の光走査装置の組立方法は、光ビームを射出する光源を保持する光源保持部材と、前記光源保持部材に設けられたネジ孔と、一方の面に前記光源保持部材が固定される固定部と、前記固定部に設けられた貫通孔と、前記固定部の前記一方の面と反対側の他方の面にネジ頭が当接するように該固定部の前記貫通孔に挿入され、前記光源保持部材のネジ孔に螺合するネジと、を有し、前記光源保持部材を、前記固定部の前記一方の面に仮固定する第一工程と、前記光源保持部材の位置調整を行ない、前記光源から射出される前記光ビームの光軸を調整する第二工程と、前記ネジで前記固定部の前記一方の面に前記光源保持部材を固定する第三工程と、を備えることを特徴としている。
【００２０】
請求項４に記載の光走査装置の組立方法では、第一工程で光源保持部材を、固定部の一方の面に仮固定する。第二工程で、光源保持部材の位置調整を行ない、光源から射出される光ビームの光軸を調整する。
【００２１】
そして、第三工程で固定部の一方の面に光源保持部材をネジで固定する。このとき、ネジ頭は、固定部の他方の面に当接し、光源保持部材には当接しない。したがって、ネジ頭を工具等で回してネジを締め込んでも、ネジ頭の回転の摩擦による光源保持部材の連れ回りが抑制される。よって、第二工程で調整した光源の光軸調整の位置ズレが抑制される。
【００２２】
なお、光源保持部材に光源を保持させる工程の順番は、第二工程より前であれば、特に限定されない。第一工程の前であっても良いし、第一工程と第二工程との間であっても良い。
【００２３】
請求項５に記載の光走査装置の組立方法は、光学部品を保持する光学部品保持部材と、前記光学部品保持部材に設けられたネジ孔と、一方の面に前記光学部品保持部材が固定される固定部と、前記固定部に設けられた貫通孔と、前記固定部の前記一方の面と反対側の他方の面にネジ頭が当接するように該固定部の前記貫通孔に挿入され、前記光学部品保持部材のネジ孔に螺合するネジと、を有し、前記光学部品を保持した光学部品保持部材を、記固定部の前記一方の面に仮固定する第一工程と、前記光学部品保持部材の位置調整を行なう第二工程と、前記ネジで前記固定部の前記一方の面に前記光学部品保持部材を固定する第三工程と、を備えることを特徴としている。
【００２４】
請求項５に記載の光走査装置の組立方法では、第一工程で光学部品保持部材を、固定部の一方の面に仮固定する。第二工程で、光学部品保持部材の位置調整を行ない、光学部品の位置調整を行なう。
【００２５】
そして、第三工程で、固定部の一方の面に光学部品保持部材をネジで固定する。このとき、ネジ頭は、固定部の他方の面に当接し、光学部品保持部材には当接しない。したがって、ネジ頭を工具等で回してネジを締め込んでも、ネジ頭の回転の摩擦による光学部品保持部材の連れ回りが抑制される。よって、第二工程で調整した光学部品の位置ズレが抑制される。
【００２６】
なお、光学部品保持部材に光学部品を保持させる工程の順番は、第二工程より前であれば、特に限定されない。第一工程の前であっても良いし、第一工程と第二工程との間であっても良い。
【００２７】
請求項６に記載の光走査装置の組立方法は、光ビームを受光する光センサを保持する光センサ保持部材と、前記光センサ保持部材に設けられたネジ孔と、一方の面に前記光センサ保持部材が固定される固定部と、前記固定部に設けられた貫通孔と、前記固定部の前記一方の面と反対側の他方の面にネジ頭が当接するように該固定部の前記貫通孔に挿入され、前記光センサ保持部材のネジ孔に螺合するネジと、を有し、前記光センサ保持部材を、前記固定部の前記一方の面に仮固定する第一工程と、前記光センサ保持部材の位置調整を行ない、前記光センサの光ビームの受光位置調整を行なう第二工程と、前記ネジで前記固定部の前記一方の面に前記光センサ保持部材を固定する第三工程と、を備えることを特徴としている。
【００２８】
請求項６に記載の光走査装置の組立方法では、第一工程で光センサ保持部材を、固定部の一方の面に仮固定する。第二工程で、光センサ保持部材の位置調整を行ない、光セセンサの受光位置の調整を行なう
そして、第三工程で、固定部の一方の面に光センサ保持部材をネジで固定する。このとき、ネジ頭は、固定部の他方の面に当接し、光センサ保持部材には当接しない。したがって、ネジ頭を工具等で回してネジを締め込んでも、ネジ頭の回転の摩擦による光センサ保持部材の連れ回りが抑制される。よって、第二工程で調整した光センサの受位置の位置ズレが抑制される。
【００２９】
なお、光センサ保持材に光センサを保持させる工程の順番は、第二工程より前であれば、特に限定されない。第一工程の前であっても良いし、第一工程と第二工程との間であっても良い。
【発明の効果】
【００３０】
以上説明したように本発明によれば、ネジ頭の回転の摩擦による光源保持部材、光学部品保持部材、及び光センサ保持部材の連れ回りが抑制される。
【発明を実施するための最良の形態】
【００３１】
本発明の実施形態に係る光走査装置１０は、図１に示すように、レーザダイオード１０２から出射された光ビームＬＡによって感光体ドラム１２を主走査方向に走査し露光する。
【００３２】
レーザダイオード１０２から出射された光ビームＬＡは、コリメータレンズ１４で平行光束にされる。コリメータレンズ１４で平行光束にされた光ビームＬＡはスリット１６によって不要光が除去される。スリット１６を通過して不要光が除去された光ビームＬＡは、シリンドリカルレンズ１８で副走査方向に収束する。
【００３３】
シリンドリカルレンズ１８で副走査方向に収束された光ビームＬＡは、反射ミラー２０で反射された後、回転多面鏡２２によって、主走査方向に偏向・走査される。
【００３４】
回転多面鏡２２で偏向・走査された光ビームＬＡは、ｆθレンズ２４，２５によって、主走査方向に等速度で走査する。ｆθレンズ２４，２５を通過した光ビームＬＡは、反射ミラー２６に反射したのち、シリンドリカルミラー２０２によって副走査方向に整形されると同時に副走査方向に角度をつけて反射される。そして、光学箱５０（後述する）の射出窓５１に設けられた防塵ガラス２８を通過したのち、感光体ドラム１２を走査・露光する。
【００３５】
一方、回転多面鏡２２によって、偏向・走査された光ビームＬＡの走査開始側の感光体ドラム１２の走査・露光に用いられない領域の光ビームＬＢは、ピックアップミラー３０で反射され、光センサ３０２（ＳＯＳ（Ｓｔａｒｔ  Ｏｆ  Ｓｃａｎ）センサ）上に結像する。そして、光センサ３０２で光ビームＬＢを検出することで、回転多面鏡２２の回転位置が走査開始位置にきたことを検知し、光走査装置１０は感光体ドラム１２に光ビームＬＡによる書き込みを開始する。
【００３６】
さて、上述した、レーザダイオード１０２、コリメータレンズ１４、スリット１６、シリンドリカルレンズ１８、反射ミラー２０，２６，３０、回転多面鏡２２、ｆ−θレンズ２４，２５、シリンドリカルミラー２０２、光センサ３０２等は、光学箱５０に収容されている。
【００３７】
光学箱５０は、略四角板状の底面５２と、この底面５２の外周に沿って外枠を構成する枠壁５４と、を備えている。枠壁５４は、枠壁５５，５６，５７，５８の四面から構成されている。また、上述した防塵ガラス２８が設けられた射出窓５１は、枠壁５８に設けられている。
【００３８】
コリメータレンズ１４、スリット１６、シリンドリカルレンズ１８、反射ミラー２０，２６，３０、回転多面鏡２２、ｆ−θレンズ２４，２５等は、底面５２に、それぞれ取付部材（図示略）などによって固定されている。
【００３９】
さて、レーザダイオード１０２はレーザダイオードホルダー１００に保持され、シリンドリカルミラー２０２は長手方向の両端部分がミラーホルダー２００Ｒ，２００Ｌに保持され、光センサ３０２はセンサホルダー３００に保持されている。そして、レーザダイオードホルダー１００は枠壁５６に固定され、ミラーホルダー２００Ｒ，２００Ｌが枠壁５５，５７に固定され、センサホルダー３００は枠壁５７に固定されている。
【００４０】
図２に示すように、レーザダイオードホルダー１００にはネジ孔１０４が形成されている。また、枠壁５６には内壁面５６Ａと外壁面５６Ｂとに開口した貫通孔１２０が形成されている。そして、固定ネジ１３０を枠壁５６の内壁面５６Ａ側から貫通孔１２０に挿入し、レーザダイオードホルダー１００のネジ孔１０４に螺合させることで、レーザダイオードホルダー１００が枠壁５６の外壁面５６Ｂに固定される。なお、固定ネジ１３０のネジ頭１３２は枠壁５６の内壁面５６Ａに当たる。
【００４１】
図３に示すように、同様にシリンドリカルミラー２０２の長手方向の一方の端部を保持しているミラーホルダー２００Ｌにはネジ孔２０４が形成されている。また、枠壁５５には内壁面５５Ａと外壁面５５Ｂとに開口した貫通孔２２０が形成されている。そして、固定ネジ２３０を枠壁５５の内壁面５５Ａ側から貫通孔２２０に挿入し、ミラーホルダー２０１のネジ孔２０４に螺合させることで、ミラーホルダー２００Ｌが枠壁５５の外壁面５５Ｂに固定される。なお、固定ネジ２３０のネジ頭２３２は枠壁５５の内壁面５５Ａに当たる。また、図示及び説明を所略するが、シリンドリカルミラー２０２の長手方向の他方の端部を保持しているミラーミラーホルダー２００Ｒも同様に、枠壁５７の外壁面５７Ｂに固定される（図１参照）。
【００４２】
図４に示すように、同様にセンサホルダー３００にはネジ孔３０４が形成されている。また、枠壁５７には内壁面５７Ａと外壁面５７Ｂとに開口した貫通孔３２０が形成されている。そして、固定ネジ３３０を枠壁５７の内壁面５７Ａ側から貫通孔３２０に挿入し、センサホルダー３００のネジ孔３０４に螺合させることで、センサホルダー３００が枠壁５７の外壁面５７Ｂに固定される。固定ネジ３３０のネジ頭３３２は枠壁５７の内壁面５７Ａに当たる。
【００４３】
また、図１に示すように、レーザダイオードホルダー１００には位置調整時（後述する）に用いる調整孔１０６が形成されている。同様に、ミラーホルダー２００Ｒには調整孔２０６が形成されている（ミラーホルダー２００Ｌにも調整孔２０６が形成されている）、更に、センサホルダー３００にも調整孔３０６が形成されている。
【００４４】
さて、レーザダイオードホルダー１００（レーザダイオード１０２）、ミラーホルダー２００Ｒ，２００Ｌ（シリンドリカルミラー２００）、センサホルダー３００（光センサ３０２）は、それぞれ位置調整をされたのち、固定ネジ１３０、２３０、３３０を締め込んで固定される。
【００４５】
よって、つぎに、レーザダイオードホルダー１００（レーザダイオード１０２）、ミラーホルダー２００Ｒ，２００Ｌ（シリンドリカルミラー２００）、センサホルダー３００（光センサ３０２）の位置を調整して固定する組立工程について説明する。
【００４６】
まず、レーザダイオードホルダー１００（レーザダイオード１０２）の組立工程について説明する。なお、図１に示すように、Ｘ１方向とＹ１方向とは直交し、Ｘ１−Ｙ１面は枠壁５６と平行な面であり、Ｚ１方向はＸ１−Ｙ１面に直交する方向である。
【００４７】
レーザダイオード１０２をレーザダイオードホルダー１００に挿入する。なお、レーザダイオード１０２とレーザダイオードホルダー１００とは、圧入や接着等によって固定する。
【００４８】
レーザダイオード１０２を保持したレーザダイオードホルダー１００を光学箱５０の枠壁５６の外壁面５６Ｂ側に配置する。固定ネジ１３０を内壁面５６Ａ側から貫通孔１２０に挿入し、レーザダイオードホルダー１００のネジ孔１０４に螺合させる（図２を参考）。なお、この時、固定ネジ１３０は完全に締め込まず、レーザダイオードホルダー１００が完全に固定されていない仮固定状態とする。また、ネジ頭１３２は枠壁５６の内壁面５６Ａ側となる。
【００４９】
図５に示すように、Ｘ１方向及びＹ１方向に微動可能な位置調整冶具（図示略）の調整ピン９０２を、レーザダイオードホルダー１００の調整孔１０６に挿入する。レーザダイオード１０２から光ビームＬＡを射出させ、光ビームＬＡの光軸中心とコリメータレンズ１４の光軸中心を一致させるように、位置調整治具でレーザダイオードホルダー１００をＸ１方向及びＹ１方向に移動し、位置を調整する。なお、貫通孔１２０と固定ビス１３０との間には隙間があるので、この隙間分、調整が可能である。光ビームＬＡのビーム特性が目標の範囲を満たしたら位置調整が完了する。
【００５０】
位置調整が完了後、六角レンチなどの工具（図示略）で、固定ネジ１３０のネジ頭１３２を回転させ、固定ネジ１３０をレーザダイオードホルダー１００のネジ孔１０４に締め込んで固定する（図２も参照）。
【００５１】
なお、レーザダイオードホルダー１００を仮固定したのち、レーザダイオード１０２をレーザダイオードホルダー１００に挿入して固定しても良い。
【００５２】
つぎに、ミラーホルダー２００Ｒ，２００Ｌ（シリンドリカルミラー２００）の組立工程について説明する。なお、図１に示すように、Ｘ２方向とＹ２方向とは直交し、Ｘ２−Ｙ２面は枠壁５５、５７と平行な面であり、Ｚ２方向はＸ２−Ｙ２面に直交する方向である。また、シリンドリカルミラー２０２の一方の端部を保持するミラーホルダー２００Ｒと他方の端部を保持するミラーホルダー２００Ｌとは左右対象である以外は同様であるので、一方と他方を区別せずに説明する。
【００５３】
ミラーホルダー２００を光学箱５０の枠壁５５、５７の外壁面５５Ｂ、５７Ｂ側に配置し、固定ネジ２３０を内壁面５５Ａ，５７Ａ側から貫通孔２２０に挿入し、ミラーホルダー２００のネジ孔２０４に螺合させる。なお、この時、固定ネジ２３０は完全に締め込まず、ミラーホルダー２００が完全に固定されない仮固定状態とする。また、ネジ頭２３２は枠壁５５、５７の内壁面５５Ａ、５７Ａ側となる。
【００５４】
シリンドリカルミラー２０２の長手方向の両端部を、固定バネ部材９８によってミラーホルダー２００に固定する（図３参照）。
【００５５】
つぎにＸ２方向、及びＹ２方向に微動可能、及びＺ２軸回りに微動回転可能な位置調整冶具（図示略）の調整ピン（図示略）を、レーザダイオードホルダーの調整孔３０６に挿入する。レーザダイオード１０２から光ビームＬＡを射出させながら、ミラーホルダー２００をＸ２方向及びＹ２方向に移動、及びＺ軸回りに回転させて、感光体ドラム１２上に走査される光ビームＬＡが所定の位置となるように調整する。なお、貫通孔２２０と固定ビス２３０との間には隙間があるので、この隙間分、調整が可能である。光ビームＬＡの位置が目標の範囲を満たしたら位置調整が完了する。
【００５６】
位置調整が完了後、六角レンチなどの工具（図示略）で、固定ネジ２３０のネジ頭２３２を回転させ、固定ネジ２３０をミラーホルダー２００のネジ孔２０４に締め込んで固定する（図３参照）。
【００５７】
なお、シリンドリカルミラー２０２をミラーホルダー２００に保持させた後、ミラーホルダー２００を仮固定しても良い。
【００５８】
つぎに、センサホルダー３００（光センサ３０２）の組立工程について説明する。
【００５９】
光センサ３０２をセンサホルダー３００に挿入する。なお、光センサ３０２とセンサホルダー３００とは圧入や接着等によって固定される。
【００６０】
光センサ３０２を保持したセンサホルダー３００を光学箱５０の枠壁５７の外壁面５７Ｂ側に配置し、固定ネジ３３０を内壁面５７Ａ側から貫通孔３２０に挿入し、センサホルダー３００のネジ孔３０４に螺合する。なお、この時、固定ネジ３３０は完全に締め込まず、センサホルダー３００が完全に固定されていない仮固定状態とする。また、ネジ頭３３２は枠壁５７の内壁面５７Ａ側となる。
【００６１】
Ｘ２方向及びＹ２方向に微動可能な位置調整冶具（図示略）の調整ピン（図示略）を、センサホルダー３００の調整孔３０６に挿入する。レーザダイオード１０２から光ビームＬＡを射出させ、光ビームＬＢの光軸中心と光センサ３０２の受光中心とを一致させるように、位置調整治具でセンサホルダー３００をＸ２方向及びＹ２方向に移動し、位置を調整する。なお、貫通孔３２０と固定ビス３３０との間には隙間があるので、この隙間分、調整が可能である。光センサ３００２の受光特性が目標の範囲を満たしたら位置調整が完了する。
【００６２】
位置調整が完了後、六角レンチなどの工具（図示略）で、固定ネジ３３０のネジ頭３３２を回転させ、固定ネジ３００をセンサホルダー３００のネジ孔３０４に締め込んで固定する。
【００６３】
なお、センサホルダー３００を仮固定したのち、光センサ３０２をセンサホルダー３００に挿入して固定しても良い。
【００６４】
つぎに、本実施形態の作用について説明する。
【００６５】
図１、図２、図５に示すように、固定ネジ１３０を光学箱５０の枠壁５６の貫通孔１２０に、枠壁５６の内壁面５６Ａにネジ頭１３２が当接するように挿入し、レーザダイオードホルダー１００のネジ孔１０４に螺合させることで、枠壁５６の外壁面５６Ｂにレーザダイオードホルダー１００を固定する。
【００６６】
このように固定するとネジ頭１３２は、枠壁５６の内壁面５６Ａに当接し、レーザダイオードホルダー１００には当接しない。したがって、ネジ頭１３２を工具で回して固定ネジ１３０を締め込んでも、ネジ頭１３２の回転の摩擦によるレーザダイオードホルダー１００の連れ回りが抑制される。よって、調整したレーザダイオード１０２の光軸の位置ズレが抑制される。
【００６７】
なお、レーザダイオード１０２の光軸調整は非常に精密に行なわれる。よって、固定ネジ１３０を締め込む際の、ネジ頭１３２の回転の摩擦によるレーザダイオードホルダー１００の僅かな連れ回りでも、影響を受ける。よって、本実施形態のように、連れ回りを抑制することは非常に有効である。
【００６８】
同様に、図１、図３、図４に示すように、固定ネジ２３０、３３０のネジ頭２３２、３３２は枠壁５５、５７の内壁面５５Ａ、５７Ａに当接し、ミラーホルダー２００及び光センサホルダー３００には当接しない。したがって、ネジ頭２３２、３３２を工具で回して固定ネジ２３０、３３０を締め込んでも、ネジ頭２３２、３３２の回転の摩擦によるミラーホルダー２００及び光センサホルダー３００の連れ回りが抑制される。よって、シリンドリカルミラー２０２の位置、及び光センサ３０２の受光位置の位置ズレが抑制される。
【００６９】
また、同様にシリンドリカルミラー２０２の位置、及び光センサ３０２の調整も非常に精密に行なわれる。よって、本実施形態のように、連れ回りを抑制することは非常に有効である。
【００７０】
つぎに、上記実施形態の変形例について説明する。なお、上記実施形態と異なる部分のみ説明する。
【００７１】
まず、第一変形例について説明する。
【００７２】
図６に示すように、固定ネジ１３０を枠壁５６の外壁面５６Ｂ側から貫通孔１２０に挿入し、レーザダイオード１０２を保持しているレーザダイオードホルダー１５０のネジ孔１５２に螺合させることで、レーザダイオードホルダー１５０が枠壁５６の内壁面５６Ａに固定される。
【００７３】
固定ネジ１３０のネジ頭１３２は枠壁５６の外壁面５６Ｂに当接し、レーザダイオードホルダー１５０には当接しない。したがって、ネジ頭１３２を工具で回して固定ネジ１３０を締め込んでも、ネジ頭１３２の回転の摩擦によるレーザダイオードホルダー１５０の連れ回りが抑制される。
【００７４】
つぎに、第二変形例について説明する。
【００７５】
なお、図７は、一方の端部側のみ図示しているが、他方の端部も同様である。
【００７６】
固定ネジ２３０を枠壁５５、５７の外壁面５５Ｂ、５７Ｂ側から貫通孔２２０に挿入し、シリンドリカルミラー２０２の一方の端部と他方の端部を保持しているミラーホルダー２５０Ｌ，Ｒのネジ孔２５２に螺合させることで、ミラーホルダー２５０が枠壁５５、５７の内壁面５５Ａ、５７Ａに固定される。
【００７７】
固定ネジ２３０のネジ頭２３２は枠壁５５、５７の外壁面５５Ｂ、５７Ｂに当接し、ミラーホルダー２５０には当接しない。したがって、ネジ頭２３２を工具で回して固定ネジ２３０を締め込んでも、ネジ頭２３２の回転の摩擦によるミラーホルダー２５０の連れ回りが抑制される。
【００７８】
つぎに、第三変形例について説明する。
【００７９】
図８に示すように、固定ネジ３３０を枠壁５７の外壁面５７Ｂ側から貫通孔３２０に挿入し、光センサ３０２を保持しているセンサホルダー３５０のネジ孔３５２に螺合させることで、センサホルダー３５０が枠壁５７の内壁面５７Ａに固定される。
【００８０】
固定ネジ３３０のネジ頭３３２は枠壁５７の外壁面５７Ｂに当接し、センサホルダー３５０には当接しない。したがって、ネジ頭３３２を工具で回して固定ネジ３３０を締め込んでも、ネジ頭３３２の回転の摩擦によるセンサホルダー３５０の連れ回りが抑制される。
【００８１】
尚、本発明は上記実施形態に限定されない。
【００８２】
例えば、上記実施形態では、レーザダイオードホルダー１００、ミラーホルダー２００Ｒ，２００Ｌ、センサホルダー３００は、いずれも二つの固定ビス１３０、２３０、３０で固定されていたが、これに限定されない。固定ビスは一つであっても良いし、或いは、三つ以上であっても良い。
【００８３】
また、例えば、上記実施形態では、光学部品及び光学部品保持部材の一例として、シリンドリカルミラー２０２及びミラーホルダー２００について説明したが、これに限定されない。光走査装置に使用しているその他のミラー及びそのミラーホルダーであっても良い。或いは、光走査装置に使用しているレンズ及びレンズホルダーであっても良い。
【００８４】
また、例えば、上記実施形態では、固定部の一例として、光学箱の枠壁５４（５５〜５７）に固定する場合で説明したが、これに限定されない。光走査装置の他の部位に固定する場合であっても本発明を適用できる。例えば、底面５２や枠壁５４から立設した部位に固定しても良い。
【図面の簡単な説明】
【００８５】
【図１】本発明の実施形態に係る光走査装置を模式的に示す斜視図である。
【図２】光学箱の枠壁に固定されたレーザダイオードを示す断面図である。
【図３】光学箱の枠壁に固定されたミラーホルダーを示す断面図である。
【図４】光学箱の枠壁に固定されたセンサホルダーを示す断面図である。
【図５】レーザダイオードホルダーの位置調整を説明するための図ある。
【図６】第一変形例を示し、光学箱の枠壁に固定されたレーザダイオードの断面図である。
【図７】第二変形例を示し、光学箱の枠壁に固定されたミラーホルダーの断面図である。
【図８】第三変形例を示し、光学箱の枠壁に固定されたセンサホルダーの断面図である。
【図９】従来の光学箱に固定されたレーザダイオードホルダーを示し、（Ａ）は平面図であり、（Ｂ）は断面図である。
【符号の説明】
【００８６】
１０      光走査装置
５５      枠壁（固定部）
５６      枠壁（固定部）
５７      枠壁（固定部）
１００      レーザダイオードホルダー（光源保持部材）
１０２      レーザダイオード（光源）
１０４      ネジ孔
１２０      貫通孔
１３０      ネジ
１３２      ネジ頭
１５０      レーザダイオードホルダー（光源保持部材）
１５２      ネジ孔
２０２      シリンドリカルミラー（光学部品）
２００      ミラーホルダー（光学部品保持部材）
２０４      ネジ孔
２２０      貫通孔
２３０      ネジ
２３２      ネジ頭
２５０      ミラーホルダー（光学部品保持部材）
２５２      ネジ孔
３００      センサホルダー（光センサ保持部材）
３０２      光センサ
３０４      ネジ孔
３２０      貫通孔
３３０      ネジ
３３２      ネジ頭
３５０      センサホルダー（光センサ保持部材）
３５２      ネジ孔
【図１】
2008009285.tif 000003
【図２】
2008009285.tif 000004
【図３】
2008009285.tif 000005
【図４】
2008009285.tif 000006
【図５】
2008009285.tif 000007
【図６】
2008009285.tif 000008
【図７】
2008009285.tif 000009
【図８】
2008009285.tif 000010
【図９】
2008009285.tif 000011